(57)【特許請求の範囲】
【請求項１】
走行機体と、巻取軸装置を含む被覆資材処理ユニットとを具え、圃園における畝に沿って移動しながら、畝上に展開した被覆資材の回収作業を行う装置に具えられる巻取済被覆資材の取外し機構であって、
前記巻取済被覆資材の取外し機構は、巻取軸を具え、この巻取軸に被覆資材の始端が係止されて巻き重ね状態に巻き取られるものであり、前記巻取軸は、本体軸と、この本体軸に対し組み合わせ、分離自在とした切離軸とを具えて構成され、前記巻取軸に巻き取られた被覆資材は、切離軸を本体軸から分離させた状態で巻取軸から抜き取ることができるように構成され、且つ前記巻取軸は、駆動モータにより駆動されるものであり、この駆動モータは、本体軸端部に設けられ、本体軸は駆動モータと共に、本体軸受ユニットにより三次元方向に偏向できる状態に支持されているものであり、この支持を行う本体軸受ユニットは、ロール支持枠に対し回動支点で接続されて水平方向に回動する水平回動基板と、この水平回動基板に対して上下揺動できるようにピン支持された上下揺動ブラケットと、この上下揺動ブラケットに設けられ、本体軸を直接支持する本体軸受とを具えているものであることを特徴とする圃園管理装置における巻取済被覆資材の取外し機構。
【請求項２】
前記巻取軸は、その両端にフランジが設けられており、一方が固定フランジとして本体軸の端部に設けられ、他方は開閉フランジとして切離軸に設けられていることを特徴とする前記請求項１記載の圃園管理装置における巻取済被覆資材の取外し機構。
【請求項３】
前記切離軸は、切離軸受において前記本体軸に対し、係脱自在となるように軸方向に沿って移動できるように構成されていることを特徴とする前記請求項１または２記載の圃園管理装置における巻取済被覆資材の取外し機構。
【請求項４】
前記切離軸受は、切離軸を伴って巻取作業状態の位置から退去自在に構成されていることを特徴とする前記請求項１、２または３記載の圃園管理装置における巻取済被覆資材の取外し機構。
【発明の詳細な説明】
【技術分野】
【０００１】
本発明は、例えば茶畝に直に被せた寒冷紗等の被覆資材を巻き取って回収するにあたり、
巻取軸にロール状に巻き取られた被覆資材を、巻取軸から容易に抜き外すことができるようにした圃園管理装置における巻取済被覆資材の取外し機構に関するものである。
【背景技術】
【０００２】
例えば茶栽培にあっては、遮光や霜除け、品質向上等を目的として、ある一定の期間、茶畝に寒冷紗等の被覆資材を直に被せるいわゆる直掛けが行われることがある。これは被覆栽培した茶は、味、色、香りが共に向上し、消費者の嗜好要求に添うことができ、収益性も向上させることができるためである。
この種の被覆栽培に用いられる被覆資材は、通常、畝の形成状況、即ち仕立状態にならって細長状に形成されるものであり、具体的なサイズとしては、展開状態で幅約２ｍ、長さ約５０ｍほどの一定幅を有した長尺シート状である。また、茶畝に被せる前の被覆資材の荷姿としてはロール状に巻回された状態となっている。なおこの状態の被覆資材を特に「巻取ロール」と以下称する。
【０００３】
そして、このような被覆資材を畝上で繰り出し展開状態で被せたり、畝に被せた状態の被覆資材をロール状に巻き取ったりするにあたっては、種々の手法や装置が案出されている（例えば特許文献１〜４参照）。これら従来の手法では、被覆資材の巻き取りを監視し、巻取作業を連続且つ円滑に行わせるための専用のアシスト要員を配置するのが一般的となっていた。このような補助員を、装置を操縦する作業者に加えて、別途、配置しなければならないことは、特に就農人口が減少しつつある茶農家等にとっては、相当の人的負担・労力負担となり、またその分、経費も嵩むため、大きな問題となっていた。
【０００４】
このため、被覆資材をスムーズに巻き取るための専用の補助員を要することなく、被覆資材の巻き取りが綺麗に且つ連続して行えるようにした新規な被覆資材の巻取展開装置の開発を本出願人の一方が関与して既に行い、特許出願に及んでいる（特許文献５、６）。
【０００５】
このような本出願人の種々の発明により、被覆資材の円滑な巻取回収が達成されているが、現実の作業形態に着眼すると更なる改善の余地が指摘された。即ち被覆資材は、全体として数十メートル以上の長さであり、これが圃園管理装置に具えられた巻取軸にロール状に巻き取られて回収されるが、巻き取られた被覆資材は、次の回収作業に具えて巻取軸から抜き外す必要があり、この作業が円滑に行われるような機構の案出が求められていた。
【先行技術文献】
【特許文献】
【０００６】
【特許文献１】特許第３７０２４２１号公報
【特許文献２】特開２００４−１６６６４９号公報
【特許文献３】特開２００４−２９８１４１号公報
【特許文献４】特開平９−１５４４１９号公報
【特許文献５】特開２０１３−２３３１１８号公報
【特許文献６】特願２０１３−１０２６６８号
【発明の概要】
【発明が解決しようとする課題】
【０００７】
本発明は、このような要請に応えるためになされたものであって、巻取軸を本体軸と切離軸とによって構成し、巻取完了後の被覆資材を切離軸を本体軸から切り離すことによって巻取軸から抜き外すことができるようにした新規な圃園管理装置における巻取済被覆資材の取外し機構を開発することを課題としている。
【課題を解決するための手段】
【０００８】
請求項１記載の圃園管理装置における巻取済被覆資材の取外し機構は、  走行機体と、巻取軸装置を含む被覆資材処理ユニットとを具え、圃園における畝に沿って移動しながら、畝上に展開した被覆資材の回収作業を行う装置に具えられる巻取済被覆資材の取外し機構であって、
前記巻取済被覆資材の取外し機構は、巻取軸を具え、この巻取軸に被覆資材の始端が係止されて巻き重ね状態に巻き取られるものであり、前記巻取軸は、本体軸と、この本体軸に対し組み合わせ、分離自在とした切離軸とを具えて構成され、前記巻取軸に巻き取られた被覆資材は、切離軸を本体軸から分離させた状態で巻取軸から抜き取ることができるように構成され、且つ前記巻取軸は、駆動モータにより駆動されるものであり、この駆動モータは、本体軸端部に設けられ、本体軸は駆動モータと共に、本体軸受ユニットにより三次元方向に偏向できる状態に支持されているものであり、この支持を行う本体軸受ユニットは、ロール支持枠に対し回動支点で接続されて水平方向に回動する水平回動基板と、この水平回動基板に対して上下揺動できるようにピン支持された上下揺動ブラケットと、この上下揺動ブラケットに設けられ、本体軸を直接支持する本体軸受とを具えているものであることを特徴として成るものである。
【０００９】
請求項２記載の圃園管理装置における巻取済被覆資材の取外し機構は、前記請求項１記載の要件に加え、前記巻取軸については、その両端にフランジが設けられており、一方が固定フランジとして本体軸の端部に設けられ、他方は開閉フランジとして切離軸に設けられていることを特徴として成るものである。
【００１０】
請求項３記載の圃園管理装置における巻取済被覆資材の取外し機構は、前記請求項１または２記載の要件に加え、前記切離軸については、切離軸受において前記本体軸に対し、係脱自在となるように軸方向に沿って移動できるように構成されていることを特徴として成るものである。
【００１１】
請求項４記載の圃園管理装置における巻取済被覆資材の取外し機構は、前記請求項１、２または３記載の要件に加え、前記切離軸受については、切離軸を伴って巻取作業状態の位置から退去自在に構成されていることを特徴として成るものである。
【発明の効果】
【００１２】
まず請求項１記載の発明によれば、巻取軸が、本体軸と切離軸とにより構成されているから、本体軸から切離軸を分離させれば、本体軸回りにロール状に巻き取られた被覆資材を抜き外すことができる。なお切離軸の分離とは、本体軸との結合が解除された状態を総合的に云うものであり、切離軸の僅かなスライド移動で本体軸と分離する状態を云うほか、切離軸のスライド移動の有無を問わす、切離軸が大きく開放される状態を含む。加えて本体軸は切り離し側と反対側の本体軸受ユニットにおいて三次元方向に偏向できるように支持されているから、被覆資材の抜き外し時に当然生じる本体軸の傾きや偏向に対応することができる。特にこの三次元方向への偏向を可能とする本体軸受ユニットは、各可動部材をピン接続しているから、本体軸がどの方向に偏向した場合であっても、常に一定の位置を維持する。
【００１３】
また請求項２記載の発明によれば、巻取軸には、一対のフランジが設けられており、巻き取られる被覆資材を円滑に案内することができる一方、フランジが左右に存在していては被覆資材の抜き取りが不可能であるが、一方のフランジが切離軸と共にずれることにより、被覆資材の抜き取りが可能となる。
【００１４】
また請求項３記載の発明によれば、巻取軸から切離軸を分離させることにより、本体軸の一端が自由端となり、本体軸に巻き取られている被覆資材の抜き取りが容易になる。
【００１５】
また請求項４記載の発明によれば、切離軸受は定常位置から退去でき、その状態ではは本体軸の切り離し側に自由スペースが確保され、本体軸からの被覆資材の抜き取りが容易に行い得る。
【図面の簡単な説明】
【００１６】
【図１】本発明を適用した圃園管理装置を茶園において用いた場合の実施例を示す斜視図である。
【図２】同上装置の側面図である。
【図３】同上装置における被覆資材ガイド装置の分解斜視図である。
【図４】同上装置における被覆資材処理ユニットを示す側面図および平面図である。
【図５】同上装置の被覆資材処理ユニットの側面、平面、正面を示す説明図であり、切離軸受ユニット側を主として示す。
【図６】同上装置の巻取軸装置を示す説明図であり、本体軸受ユニット側を主として示す。
【図７】同上装置におけるスキッド部材の展開状態並びに装着状態の斜視図である。
【図８】同上装置におけるスキッド部材の他の実施例を示す分解状態並びに装着状態の斜視図である。
【図９】同上装置における被覆資材ガイド装置の作動態様を示す側面図である。
【図１０】同上装置における被覆資材ガイド装置による被覆資材の巻取状態を示す正面図である。
【発明を実施するための形態】
【００１７】
本発明を実施するための形態は、以下の実施例に述べるものをその一つとするとともに、更にその技術思想内において改良し得る種々の手法をも含むものである。
【実施例】
【００１８】
本発明が適用される圃園管理装置１は、一例として図１、図２に示すように、茶畝などの被覆対象Ｔを跨ぐように走行する走行機体２と、この走行機体２によって被覆対象Ｔ上面に位置するように支持される被覆資材処理ユニット３とを具えて成るものである。すなわち本実施例で示す圃園管理装置１は、茶園で用いられることが多い乗用式の茶畝跨走型茶園管理機の走行機体２に、被覆資材処理ユニット３を装着する構造を基本構造とする。
【００１９】
ここで上記「圃園管理装置１」による「圃園管理作業」について説明する。「圃園管理作業」とは、作業内容に応じて適宜の管理装置ユニットを、走行機体２に取り付けて、目的の作業を行うことを云う。即ち、圃園の一例である茶園を対象とした場合、管理装置ユニットとしては、樹形を整え樹勢の回復を図るために枝幹を剪除する剪枝機ユニットや、茶葉の摘採を行う摘採機ユニット、或いは茶畝に肥料や薬剤等を散布する施肥・防除機ユニットなどがよく知られているが、本実施例では管理装置ユニットとして被覆資材処理ユニット３を適用するものである。
【００２０】
また被覆対象Ｔとしては、茶畝が代表例に挙げられ、本明細書でも茶畝に同じ符号「Ｔ」を付すが、被覆対象Ｔは必ずしも茶畝Ｔに限定されるものではない。例えばレタス、キャベツ、タマネギ等、茶以外の作物の畝やマルチング対象の土壌面でもよく、その意味で被覆対象Ｔとしたものである。また、本明細書では、被覆対象Ｔが茶畝Ｔのみに限定されないという意味合いで、単に「畝」という用語を使用することがある。
更にまた、以上述べたように被覆対象Ｔとして種々想定されることから、被覆資材Ｓとしても茶園で一般的に用いられる寒冷紗に限定されるものではなく、化学繊維シートや不織布シート或いはマルチングシートなどでもよく、更には藁や竹などを長尺シート状に編み込んだものでも適用可能である。
以下、圃園管理装置１を構成する走行機体２と被覆資材処理ユニット３とについて説明する。
【００２１】
まず走行機体２について説明する。走行機体２は、茶畝Ｔを跨いで畝間を接地走行するものであり、走行方向、即ち茶畝Ｔの長手方向から見て概ね従来手法に従った門型状に形成されたフレーム２１を骨格部材とする。このフレーム２１は、畝間に立ち上げ状態に入り込んで移動する左右の脚部フレーム２１Ａと、前後左右の脚部フレーム２１Ａを上方で繋ぐ連結フレーム２１Ｂと、脚部フレーム２１Ａに対し昇降自在に取り付けられる昇降ブラケット２１Ｃとを具えて成る。因みに、この昇降ブラケット２１Ｃには、例えば上記摘採機ユニットを取り付けることができ、この場合、摘採機ユニットは走行機体２のほぼ中間（前後方向における中間）位置に設けられる。因みに摘採機ユニットに言及したのは、圃園管理装置１が種々の使用態様を具えていることの理解のためであり、本発明における被覆資材Ｓの回収等においては摘採機ユニットは取り付けない。
また、脚部フレーム２１Ａの下端には一例としてクローラを適用した走行体２２を設ける。
【００２２】
更に連結フレーム２１Ｂの上部には、圃園管理装置１に乗車した作業者が座る操縦席（操縦者用シート）２３、操縦桿２４、圃園管理装置１の制御や操作等を行うためのコントロールボックス２５を設けるものである。そして操縦者用シート２３の側傍には、例えばディーゼルエンジン等を適用した原動機２６を搭載するものであり、一例として、この原動機２６により図示を省略する油圧ポンプを駆動し、この油圧ポンプにより供給される作動油によって前記走行体２２の駆動や、後述する被覆資材処理ユニット３の巻取軸４０の駆動、更には前記昇降ブラケット２１Ｃの昇降動を担うシリンダ（図示略）等の駆動を行う。
【００２３】
このような走行機体２に対して、被覆資材処理ユニット３を茶畝Ｔの上方に位置するように取り付けるための部材を設ける。
具体的には、フレーム２１の前端部に左右一対の昇降ガイドブラケット２７Ａと昇降受けローラ２７Ｂとから成る昇降案内部材２７を設け、これに左右一対の昇降アダプタ２８を支持させる。なお左右それぞれの昇降アダプタ２８は、各別に昇降位置を変えることができる。昇降アダプタ２８の具体的構成は、上下に長杆状に延び、前記昇降案内部材２７に直接支持される昇降ポスト２８Ａとその下方において前方に伸びるアダプタロッド２８Ｂとにより構成される。なお昇降シフトのための機構は、従来公知の機構を採用するものであり、一例として昇降ポスト２８Ａの下端に接続したシフトケーブルをシリンダ等により、引き上げる等の手法を採る。
【００２４】
このような走行機体２における脚部フレーム２１Ａの周辺には、更にスキッド部材２９を設ける。このスキッド部材２９は、前記走行機体２における脚部フレーム２１Ａ付近が、茶畝Ｔの茶樹裾部や、茶畝に吊設した被覆資材Ｓ等と引っ掛かり干渉を生じないようにするための部材である。
まずスキッド部材２９の第一の実施例としては、カバーシート２９１が適用される。このカバーシート２９１は、例えば透明な樹脂シート等を適用するものであり、全体として柔軟な部材であるが、茶樹が突き刺さらず、これを弾性的に押し返すだけの一定のコシ強さを有するものであり、厚さ３．０ｍｍ程度の透明ビニールシートが適用される。
このものは、例えば脚部フレーム２１Ａの側面全体を覆うような形態とした長さとしてもよいし、適宜の寸法に分断してもよいが何れにせよカバーシート２９１の適宜の位置にフック受け孔２９１ａを複数設け、これを例えば脚部フレーム２１Ａにおけるフック状のスキッド固定部２１０に嵌め込むようにして固定する。もちろん図７に示すようにフックストラップ２９１ｂを用いてスキッド部材２９の一例であるカバーシート２９１を脚部フレーム２１Ａの周辺に設けるようしてもよい。
【００２５】
スキッド部材２９としては、カバーシートタイプのもののほか、脚部フレーム２１Ａおよびその周辺を駆動用オイルのタンクの補機部類の形状にほぼ馴染んだ外殻形状を有するハードカウル２９２を適用してもよい。この場合には、スキッド部材２９の形状自体がより厳密な寸法設計となり、周辺の資材との引っ掛かり干渉をより効果的に防ぐことができる。このハードカウル２９２は、例えば左右２分割できるようにして、これを最中合せ状にして前記脚部フレーム２１Ａの回りをカバーするような形態を採る。なお符号２９３は、両者を最中合せ状にするとともにフレーム２１におけるブラケット状のスキッド固定部２１０を共締めするようなボルトナットを組み合わせた固定ピンである。もちろん作業性を考慮して、ネジ状の固定手法のほか、クイックファスナと称されるバヨネット係合のピン部材であっても、もとより差し支えない。
なおいずれにしても、これらの固定ピン自体が引っ掛かり干渉の原因とならないようハードカウル２９２は、固定ピンの受入部２１０Ａにおいて、図８に示すように凹陥状態に形成されることが好ましい。
【００２６】
次に被覆資材処理ユニット３について説明する。被覆資材処理ユニット３は、巻取軸装置４、被覆資材ガイド装置５とこれらを支持するためのフレームとなる部材で構成され、上述したように被覆対象Ｔたる畝に直接被せた寒冷紗等の被覆資材Ｓをロール状に巻き取るものである。一方で、このものは展開作業つまりロール状の被覆資材Ｓを繰り出して茶畝Ｔに被せる作業を行う場合においても適用できるものである。なお被覆資材Ｓについては、特に巻き取った状態のものについて必要に応じ巻取ロールＳＲとしても説明する。
また、本実施例では、上述したように走行機体２に被覆資材処理ユニット３を取り付ける形態であることから、被覆資材処理ユニット３の詳細な説明に先立ち、まずこの取り付け構造から説明する。
被覆資材処理ユニット３は、走行機体２に対し昇降動自在に設けられるものであり、図２、図３等に示すように前記アダプタロッド２８Ｂに被覆資材処理ユニット３を挿し込むようにして取り付ける。この際、前述のように左右のアダプタロッド２８Ｂを独立的に高さ設定して、被覆資材処理ユニット３を左右方向に傾けて走行機体２に搭載することもできる。このように傾けた搭載手法は、傾斜地の茶畝Ｔにおいて作業する場合等に有効である。
なお以下に示す実施例では、このような傾斜搭載を許容しないタイプのものについて説明する。
【００２７】
また被覆資材処理ユニット３は、走行機体２の前方部分に取り付けられるが、これは走行機体２を前進させながら、言い換えれば操縦者が普通に前を向いた姿勢で、既に茶畝Ｔ上に展開された状態の被覆資材Ｓの巻取作業が行えるようにしたためである。このため、仮にこの被覆資材処理ユニット３をそのまま流用して被覆資材Ｓを茶畝Ｔ上に展開して行く作業（繰り出してゆく作業）では、操縦者が後方を振り返りつつ、走行機体２を後退させながら行うことになる。因みに実際の作業では、繰り出し専用の処理ユニットを走行機体２後方に設けて前進作業で行うことが多い。
【００２８】
以下、被覆資材処理ユニット３について更に詳細に説明する。
まず被覆資材処理ユニット３は、一例として茶園管理機の走行機体２に対して、いわゆるアタッチメントの一つとして用意されるものであり、図３に示すようにフレーム機能を奏する部材として基部フレーム３Ａ、中間横行フレーム３Ｂ、案内作用フレーム３Ｃを具え、これらを上下に重ね合わせて組み合わせるような構成を採る。なおこのようなフレーム部材が分断構成されているのは、茶畝Ｔの例えば傾斜等の状況等に応じて被覆資材処理ユニット３を適切な位置に設定できるようにするためである。従って茶畝Ｔの状況から被覆資材処理ユニット３を一定姿勢のまま作業できる環境にある場合、このようなフレーム部材の構成を採る必要はない。
【００２９】
まず基部フレーム３Ａについて説明する。この主要部材は、平面視横長の矩形状とした基部枠３０であり、この基部枠３０の下面側左右両側に寄った位置にロッド受けスリーブ３１を具える。このロッド受けスリーブ３１は、前述の走行機体２におけるアダプタロッド２８Ｂを受け入れて、走行機体２に取り付けるための部材である。
そしてこのロッド受けスリーブ３１は、この実施例では、左右一対のものが固定設置されており、傾斜設定を行わない構造を採る。しかし傾斜設定できるようアダプタロッド２８Ｂの高さを左右変更した場合には、それに対応できるように左右のロッド受けスリーブ３１は、両者の幅間隔を可変とする。
更に基部フレーム３Ａは、これに支持される中間横行フレーム３Ｂを左右に横行させるための駆動部材である横行シフトモータ３２を搭載するものであって、前記固定側ロッド受けスリーブ３１近くに横行シフトモータ３２を搭載し、その出力軸に捲回させた中継チェーン３２２を介してネジシャフト３３の回転駆動を行う。
一方基部枠３０は、中間横行フレーム３Ｂを支持する横行支持レール板３４を４枚具える。
【００３０】
次に中間横行フレーム３Ｂについて説明する。前述の基部フレーム３Ａに対し、中間横行フレーム３Ｂが横行自在に支持される。まず中間横行フレーム３Ｂは、中間横行枠３５を主要な部材として具えるものであり、全体として矩形状の構成を採る。この中間横行枠３５には複数の車輪３５１を具えるものであり、この車輪３５１は前記基部枠３０における横行支持レール板３４上を転動するように構成されている。更に中間横行枠３５の下面には、メネジブロック３５２が固定され、このものが前記基部フレーム３Ａ側のネジシャフト３３を受け入れ、いわゆるネジ送り機構を構成している。また中間横行フレーム３Ｂの上面には、複数本のノックピン３５３が突き出しており、支持する案内作用フレーム３Ｃとの組み付けの位置決めを図っている。
【００３１】
次に案内作用フレーム３Ｃについて説明する。
この案内作用フレーム３Ｃは、平面視で横方向に細長い案内枠３６を主要なフレーム機能を奏する部材とし、更にロール支持枠３７、ガイド支持ポスト３８、延長枠３９を含んで構成されている。なお案内枠３６には図示を省略したが、前記中間横行枠３５に形成されたノックピン３５３を受け入れるピン孔を具える。
まずこの案内枠３６は、ロール支持枠３７を左右に立ち上げ状態に設けるとともに、その前方に左右一対のガイド支持ポスト３８を設け、ガイド支持ポスト３８の前方にはほぼ水平に伸びるような左右一対の延長枠３９を具える。これらの部材により以下述べる巻取軸装置４と被覆資材ガイド装置５とを支持する。まず本発明の構成要素に関連する部材である案内枠３６におけるロール支持枠３７は、支柱状の駆動側の駆動側ロール支持ポスト３７０と、その反対側の側面に設けられる門型の取出側ロール支持枠３７１とを具える。この取出側ロール支持枠３７１は、開閉枠３７２を実質的な部材とするものであり、このものは、側面視で門型に形成した部材であって、側傍部に立つヒンジ支柱３７３に対してヒンジ３７４を介して開閉自在に形成されている。
そして、開閉枠３７２の上面と、前記駆動側ロール支持ポスト３７０の上端において後述する巻取軸装置４の巻取軸４０を軸受部材を介して支持している。
【００３２】
なお取出側ロール支持枠３７１を構成する開閉枠３７２は、その閉鎖状態を維持するための部材を具える。即ち、図５に示すように開閉枠３７２の自由端側下方にロックピン３７５を設けるものであって、このものは、ロックピン３７５を摺動自在に支持するロックピンブラケット３７５ａに支持され、ロックピンスプリング３７５ｂを介して自由端を更に前進する方向に常時突出状態となるように付勢されている。そしてロックピン３７５の先端は、後述するガイド支持ポスト３８に支持された板状部材に形成されたロックピン受け孔３７５ｃに閂状に嵌り合い、開閉枠３７２の閉鎖状態を保持するような作用をする。
またヒンジ支柱３７３の上端と開閉枠３７２の上面とには、その間に掛け渡されるように開閉維持スプリング３７８が設けられるものであって、前記ヒンジ３７４を中心にして、開閉枠３７２が閉鎖した状態、および開放されている状態、それぞれのポジションを弾性的に維持できるようにしている。
【００３３】
次に案内枠３６のロール支持枠３７の前方に設けられる、ガイド支持ポスト３８について説明する。このものは、案内枠３６から左右一対立ち上がるように設けられるものであって、このものに対し、上部において前方に突き出すように回動支持ブラケット３８１が設けられている。この回動支持ブラケット３８１の自由端側には、回動支点３８２が設けられ、このものが、後述する被覆資材ガイド装置５における中間ガイド体５２と巻取ガイド体５３とを反転自在とするための回動ブラケット５４の支持を行っている。
【００３４】
更に前記案内枠３６から前方に張り出すように延長枠３９が設けられるものであって、接続部３６１を介して延長枠基部３９１が接続される。この延長枠基部３９１の先端には、折り畳みリンク部３９２を有し、そこから先端部３９３が延長形成されている。この先端部３９３において、後述する被覆資材ガイド装置５の受入ガイド体５１を支持する。
被覆資材処理ユニット３におけるフレーム部材の構成は、以上述べたものであり、次に本発明の巻取済被覆資材Ｓの取外構造を具体化した巻取軸装置４について説明する。
【００３５】
巻取軸装置４は、巻取軸４０を主要部材とし、更にこれを回転可能に支持する部材を含むものであり、巻取軸４０に被覆資材Ｓを巻き取るようにしている。
まず巻取軸４０は、図４、図６に示すように本体軸４１と切離軸４２とが分離自在に組み合わされて構成されており、巻取軸４０の巻取作業状態において左右にフランジ４３を具える。具体的には巻取軸４０は、本体軸４１の一端に固定される固定フランジ４３Ａと、その反対側の切離軸４２に設けられた開閉フランジ４３Ｂとを具える。
前記本体軸４１は、金属パイプで構成され、その内側に係止ピンユニット４１０を適宜の数具えるものであり、このものによって、巻取軸４０によって巻き取る被覆資材Ｓの巻取開始端を掛け止める。この係止ピンユニット４１０は、図６（ｂ）に拡大して示すようにほぼ円柱状の支持ピース４１１に対し、スリット状の空間を設け、ここに係止ピン本体４１２を収めた状態で回動軸４１２ａにおいて回動自在に支持する。この係止ピン本体４１２の下端にはセットスプリング４１３を作用させ、図に示すように係止ピン本体４１２が常時突出するような状態としている。なおこの突出状態は、ストッパ４１４によってほぼ直立した状態に支持されている。
このような構成から理解できるように、前記係止ピンユニット４１０における係止ピン本体４１２は、ストッパ４１４側からその上端が押圧されたときに、セットスプリング４１３に抗して倒伏し、本体軸４１の周辺から軸内側に退去するような構成となっている。なお符号４１５は、前記係止ピンユニット４１０における支持ピース４１１に形成された固定メネジ４１５であり、この部分を利用して本体軸４１内に挿入された係止ピンユニット４１０の支持ピース４１１を本体軸４１の外側からネジ固定できるようにしている。
【００３６】
一方切離軸４２は、その軸部が本体軸４１に対し、内嵌め状態に取り付けられるともに、回り止め突起４２ａを具え、このものは、本体軸４１における回り止め切欠４１６に対し、嵌り込み、本体軸４１と切離軸４２とは共に回転できるように構成されている。なお本体軸４１における切離軸４２側の端部を自由端と、他端を基端と称することもある。
【００３７】
このような巻取軸４０を支持乃至駆動する部材について以下説明する。
まず本体軸受ユニット４４は、図６に示すように巻取軸４０における本体軸４１側を基端において支持する。即ち本体軸受ユニット４４は、本体軸受４４０を主要部材とするものであり、前記本体軸４１をピローブロック状に支持する。この本体軸受４４０は、前記案内作用フレーム３Ｃにおける駆動側ロール支持ポスト３７０に対し支持される水平回動基板４４１と、これに支持される上下揺動ブラケット４４２とにより支持されているものであり、結果的に本体軸受４４０は本体軸４１を三次元方向に幾分か偏向できるような支持形態を採る。
まず水平回動基板４４１は、駆動側ロール支持ポスト３７０の上面に突出形成された回動支点４４１ａを中心に、水平方向に首振り状に回動できるように支持される。一方、この水平回動基板４４１は、その左右に翼板状に立ち上がった揺動支持部４４１ｂにおいて前記上下揺動ブラケット４４２をピン支持するものであり、この構成により上下揺動ブラケット４４２は、水平回動基板４４１に対して上下に揺動するような動きをとる。
結果的に本体軸受ユニット４４は、フレーム部材となる駆動側ロール支持ポスト３７０に対して三次元方向に幾分か自在に偏向するような動きができるように構成されている。因みにこれは本体軸４１と切離軸４２とが切り離されて本体軸４１の自由端が下がった状態等を許容するものである（図５（ｂ）参照）。前記上下揺動ブラケット４４２は、前記本体軸受４４０を支持するほか更に側方に張り出す位置にモータ支持板４４３を設け、これによって駆動モータ４５を支持する。
この駆動モータ４５は、適宜の継手４６を介して前記本体軸４１の端部と接続され、その駆動を行う。
【００３８】
一方、切離軸受ユニット４７は、図４、図５に示すように本体軸受ユニット４４と対向するように設けられるものであって、切離軸受４７０を主要部材とする。
この切離軸受４７０は、スライドブラケット４７１に取り付けられる。このスライドブラケット４７１の基板部４７２には、引き出し長孔４７３が巻取軸４０の軸方向に並行して一対設けられている。この引き出し長孔４７３に対しては、前記案内枠３６における開閉枠３７２に対し突出状態に取り付けられるガイドピン３７２ａがゆるく嵌り込み、その上部のフランジ部位において、引き出し長孔４７３の上面を覆うように構成されている。この構成により前記切離軸受ユニット４７を全体として巻取軸４０の軸方向に沿って移動し得るように構成されている。
そして、前記開閉枠３７２には、ガイドピン３７２ａの近傍にロックメネジ３７２ｂが形成され、そのロックメネジ３７２ｂに対し、クランプボルト４７５が捻じ込まれる。このクランプボルト４７５は、その上端部に操作用のグリップ４７５ａを具えるとともに、スペーサ４７５ｂが設けられ、その端部が基板部４７２における引き出し長孔４７３の脇縁部を押さえ込むように作用する。これにより切離軸受ユニット４７は、取出側ロール支持枠３７１の開閉枠３７２に対し、位置決め固定される。そして前記切離軸受４７０は、基板部４７２から立ち上がり形成された軸受取付部４７６に対し固定される。この軸受取付部４７６に対向して、側方手前側に幾分か基板部４７２を立ち上げて形成させ、前記切離軸受４７０を摺動移動させるための手掛りとなる操作部４７７とする。
【００３９】
次に被覆資材ガイド装置５について説明する。
この被覆資材ガイド装置５は、図２、図３、図４、図５、図９に示すように被覆資材Ｓが巻き取られる方向を基準として、巻き取られる前側を前段ないしは前方とし、巻き取られてゆく側を後段ないしは後方とすると、巻取軸４０の前段に設けられる。この被覆資材ガイド装置５は、受入ガイド体５１、中間ガイド体５２、巻取ガイド体５３を主要部材とするものであり、更に回動ブラケット５４によって中間ガイド体５２と巻取ガイド体５３とが支持され、全体として設置姿勢を反転状態とすることができるように構成されている。
まず受入ガイド体５１について説明すると、このものは、両端に適宜の取付適合するプレート状部材５１０を具えて前記延長枠３９の先端部３９３に設定角度を幾分か調整自在に取り付けられる。この受入ガイド体５１は、パイプ状部材が湾曲して形成され、その湾曲方向は平面視で、中心部が後方に向って湾曲するような構成を採る。この構成は、受入ガイド体５１によって、掬い上げられる被覆資材Ｓが被覆資材ガイド装置５の中央寄りに集中する傾向を付与するものであって、向芯案内構造５１１とする。
因みに向芯案内構造５１１自体は、このように湾曲させるほか、鼓状のローラを適用するなど、適宜の手法で被覆資材Ｓを中心に案内されるような構成を採ることができるものであって、このようなバリエーションについては、本出願人の一方が開発し、特許出願に及んでいる特願２０１３−１０２６６８号に開示しているものが適用できる。なお受入ガイド体５１は、前記延長枠３９の先端部３９３には、折り畳みリンク部３９２により折り畳めるように構成することにより、このもの自体を上方に跳ね上げ状態に折り畳めるようにして圃園管理装置１をトラック等に積載して運搬する際の支障にならないように構成されている。
【００４０】
次に中間ガイド体５２および巻取ガイド体５３について説明する。
この中間ガイド体５２は、ガイド面を直管状とした回転自在のローラ状のものであり、前述のとおり側面視で、受入ガイド体５１に対し、被覆資材Ｓの送り方向に見て後方に設けられている。
更に中間ガイド体５２の後段に巻取ガイド体５３が設けられる。なおこの後段の意味は、被覆資材Ｓの送り方向に見て、次工程になるという意味であって位置的に後方という意味ではない。実際に位置的に見ると、被覆資材Ｓを巻き取っている巻取作業状態では、巻取ガイド体５３は、側面視では中間ガイド体５２より前方、やや上方に位置している。この巻取ガイド体５３は、円管状部材が湾曲形成されているものであり、湾曲した中央部は、前方に向って張り出すような形状を採る。このような形状は、ここに案内されてくる被覆資材Ｓが中央部から外側に広がるように案内されるための構成であり、これを展開案内構造５３１とする。この展開案内構造５３１は、受入ガイド体５１における向芯案内構造５１１と同様に、例えば中膨らみの太鼓型のローラ形状を選択することもできる。なお巻取ガイド体５３については、巻取軸４０とほぼ平行するような直管状の補強バー５３２が設けられており、補強バー５３２を伴った巻取ガイド体５３は、それらを端部接続板５３３により一体とされる。
そして端部接続板５３３は、回動ブラケット５４に対して一体となるよう接続される。
【００４１】
この回動ブラケット５４は、巻取作業状態において上下方向のほぼ中間に回動軸５４１を具える。この回動軸５４１は、ガイド支持ポスト３８の回動支持ブラケット３８１における前記回動支点３８２で支持され、回動ブラケット５４は、中間ガイド体５２、巻取ガイド体５３を伴って、回動自在に取り付けられる。
そして回動ブラケット５４の巻取作業状態における下方には、中間ガイド体５２が支持されるものであり、一例として中間ガイド体５２は、中間ガイド軸受５４２によって回転自在に支持されている。
なお回動ブラケット５４の下方から前方に伸びるハンドル状部材は、操作レバー５４３であって、後述するように回動ブラケット５４を回動させるための手掛りとする。
【００４２】
ここで回動ブラケット５４の回動操作による中間ガイド体５２と巻取ガイド体５３との設定状態の反転について説明する。
図２、図９に示すように回動ブラケット５４における操作レバー５４３を操作することにより、これら中間ガイド体５２と巻取ガイド体５３の巻取作業状態から設定が切り替わり「巻取準備状態」となる。即ち図５（ｃ）、図９に示すように時計方向に回動ブラケット５４が回動すると、前記中間ガイド体５２が上方に位置するように回動し、一方巻取ガイド体５３は、上方から下方に向うような位置となる。
このとき前記上方に位置する状態となった中間ガイド体５２と、その下方に位置する状態となった巻取ガイド体５３との間に、被覆資材Ｓが通され、更に被覆資材Ｓの先端が巻取軸装置４側に向うときには、被覆資材Ｓそのものの通過経路は直線状に設定され、前記被覆資材Ｓの巻取軸４０への巻き付け操作が極めて行い易い。
一方この状態から、回動ブラケット５４を回動させると、図９（ｂ）〜図９（ｅ）に示すように前記中間ガイド体５２が上方の位置から下方の位置に位置変換し、一方巻取ガイド体５３が下方の位置から上方の位置に戻るように移動する。その結果、側面視で被覆資材Ｓは、受入ガイド体５１と中間ガイド体５２と巻取ガイド体５３、更には巻取軸装置４に向ってジグザグ状の巻取作業状態の案内軌道が設定される。
【００４３】
なおこのような回動ブラケット５４は、特に巻取作業状態を確実に維持しなければならないために、図５（ｃ）に示すロック機構を具えている。即ち符号５４４は、ロックピンであり、このものは、回動ブラケット５４に取り付けられたロックピンブラケット５４４ａに対し、摺動自在に案内されるとともに、ロックピンスプリング５４４ｂによって、常時下方に突出状態なるように設定される。そしてロックピンスプリング５４４ｂの先端の位置における延長枠３９の延長枠基部３９１にはロックピン受け孔５４４ｃが形成され、ここにロックピン５４４の先端が閂状に挿し込まれることにより、回動ブラケット５４を巻取作業状に維持する。
【００４４】
本発明が適用される圃園管理装置１の構成は、以上述べたような構成を有するものであり、以下その作動態様を作業順序に従って説明する。
（ｉ）被覆資材Ｓの状況
まず作業対象となる畝の一例である茶畝Ｔに寒冷紗等の被覆資材Ｓが設けられている状況について説明する。
この状況は、図１、図１０に示すように茶畝Ｔの上面からその側面まで覆うような寒冷紗が適用されるものであり、特にこの被覆資材Ｓを茶畝Ｔから巻取る場合に茶畝Ｔの裾部に垂れ下がるように配設される部位が存在することから、その巻取作業が難しいという問題がある。
【００４５】
（ｉｉ）圃園管理装置１の設定
そして作業に先立ち、圃園管理装置１に対し、次のような準備がなされる。
（ｉｉ−Ａ）スキッド部材２９の装着
先に述べたように圃園管理装置１における走行機体２の脚部フレーム２１Ａおよびその近くの補機類などと茶畝Ｔの樹枝、そこに被されている被覆資材Ｓとの干渉が作業支障となることから、これを回避するためにスキッド部材２９を装着する。スキッド部材２９が柔軟でかつ一定のコシを有するカバーシート２９１の場合、そこに設けられたフック受け孔２９１ａを走行機体２におけるスキッド固定部２１０に係止させて、ほぼ吊り下げ状態になるように取り付けたり、図７に示すようにフックストラップ２９１ｂを用いて吊り下げるように取り付ける。これによりカバーシート２９１は、脚部フレーム２１Ａの周辺に巻き付けられた状態で取り付けられる。
なおスキッド部材２９が、ハードカウル２９２の場合は、これらは最中合せ状に脚部フレーム２１Ａを囲むようにして取り付けられるものであり、一対のハードカウル２９２を合せながら固定ピン２９３でスキッド固定部２１０等を利用して固定する。
【００４６】
（ｉｉ−Ｂ）被覆資材処理ユニット３の搭載
被覆資材処理ユニット３は、ほぼ組立状態でその基部フレーム３Ａにおけるロッド受けスリーブ３１を走行機体２におけるアダプタロッド２８Ｂに挿し込むようにして取り付ける。実際の作業としては、省力化等のために、被覆資材処理ユニット３の全体を可動スタンド等に支持させ、その位置に合せて圃園管理装置１を走行させて、且つ昇降アダプタ２８におけるアダプタロッド２８Ｂの高さを設定してそこに挿し込むような形態をとる。なおこの固定にあたっては、常法に従い、適宜のロックピン等によりその差込状態を維持する。
また被覆資材処理ユニット３における被覆資材ガイド装置５の受入ガイド体５１については、運搬時等には、案内枠３６における延長枠３９の中間の折り畳みリンク部３９２を折り畳んで、その先端部３９３を上方に向けているが、その先端部３９３を下方に回転させるような状態として、受入ガイド体５１が前方に向うような位置設定とする。
【００４７】
（ｉｉｉ）巻取準備
（ｉｉｉ−Ａ）巻取準備状態への設定
被覆資材Ｓの巻き取りにあたって巻取開始の準備は、従来は常に巻取作業状態の設定にあった受入ガイド体５１、中間ガイド体５２、巻取ガイド体５３との間にジグザグ状に被覆資材Ｓを通過させ、その後その先端を巻取軸装置４における巻取軸４０に固定するという、極めて面倒な作業が行われていた。
本実施例にあっては、巻取準備の際に中間ガイド体５２と巻取ガイド体５３とを巻取準備状態に設定することにより、このようなジグザグ状に被覆資材Ｓを通すような設定をする必要がなくなったものである。即ち巻取準備状態への設定は、巻取作業状態に対し、図９（ａ）に示すように操作レバー５４３の操作により回動ブラケット５４を、図中、時計方向に約１５０°程度回動させ、中間ガイド体５２と巻取ガイド体５３との天地方向の設定を反転させる。その後上方に位置した中間ガイド体５２と、下方に位置した巻取ガイド体５３との間に、被覆資材Ｓをほぼ直線状に通過させ、その先端を巻取軸装置４の巻取軸４０に固定する。なお巻取軸４０への被覆資材Ｓの設定は、巻取軸４０においては常に係止ピン本体４１２が突き出した状態となっているので、比較的網目が粗い寒冷紗等の網目をこれに係止させ、本体軸４１を何回転かさせて、これに被覆資材Ｓの先端を適宜寸法巻きつけて、巻取開始状態としておく。
【００４８】
（ｉｉｉ−Ｂ）巻取作業状態への設定
この状態に設定した後、回動ブラケット５４を再度操作して、操作レバー５４３を図９（ｂ）〜図９（ｅ）に示すように図中、反時計方向に回動させ、上方に位置した中間ガイド体５２が被覆資材Ｓの上方からこれを下方に押し込むようにする一方、下方に位置した巻取ガイド体５３は、下面から被覆資材Ｓを掬い上げるようにして更に中間ガイド体５２の前方上方に案内する。この結果、側面視で被覆資材Ｓは、受入ガイド体５１、中間ガイド体５２、巻取ガイド体５３、巻取軸４０との間にジグザグ状に案内されるようになる。この状態が「巻取作業状態」である。
【００４９】
（ｉｖ）巻取作業
このような状態で圃園管理装置１を前進させるとともに、巻取軸装置４の巻取軸４０を駆動してそこに被覆資材Ｓを巻き取っていく。
（ｉｖ−Ａ）受入ガイド体５１の向芯案内構造５１１（図１０（ａ）〜（ｃ））
先に述べたように被覆資材Ｓが特に茶畝Ｔの裾部までも覆うように設けられているから、この部位が円滑な巻き取りに支障となっている。まず受入ガイド体５１が良好に作用する第一の要点は、受入ガイド体５１が被覆資材Ｓを掬い上げるようにして下から案内することである。
そして受入ガイド体５１は、更にその中央部位が進行方向に向って、平面視で後方に湾曲した形状となっており、この形状即ち向芯案内構造５１１が、巻き取られる被覆資材Ｓを中心に寄せるような作用をしている。
【００５０】
（ｉｖ−Ｂ）中間ガイド体５２による予備的な横展開（図１０（ｄ））
このような状態で、中間ガイド体５２に至る被覆資材Ｓは、中間ガイド体５２が一例として回転自在であることも助けとなって、このものと摺擦せずに円滑に巻き取られる向きを前方に切り換えられるように案内される。もちろん前方に案内する実質的な作用は、巻取ガイド体５３が中間ガイド体５２より、前方上方に配置されているからである。
【００５１】
（ｉｖ−Ｃ）巻取ガイド体５３による横展開案内
巻取ガイド体５３に至った被覆資材Ｓは、巻取ガイド体５３が展開案内構造５３１を有しているから、平面視で前方に向う湾曲形状に案内されて、横に拡がるような状態となり、全幅に亘って、充分に拡げられた状態を現出させる。
このような状態で巻取軸装置４における巻取軸４０は駆動されながら、そこに被覆資材Ｓを巻き取って行き、巻取ロールＳＲの状態とする。
この際巻取軸４０には、フランジ４３が設けられているから、これによって円滑な被覆資材Ｓの側端縁の案内がされる。
【００５２】
（ｖ）スキッド部材の作用
このような作業において、前記圃園管理装置１における脚部フレーム２１Ａは、茶畝Ｔと接触することは、避けられない。このとき、スキッド部材２９の存在により、脚部フレーム２１Ａ等が茶樹裾部等に直接接触せずにスキッド部材２９が茶畝Ｔや、それに被された被覆資材Ｓに対して、円滑に摺接するような状態となる。この結果従来生じていた脚部フレーム２１Ａまたはその周辺機材と茶畝Ｔや被覆資材Ｓ等との引っ掛かり干渉を完全に防止することができる。
【００５３】
（ｖｉ）巻取済みの被覆資材Ｓの取り外し
このような作業を完了すると、巻取軸４０から巻取ロールＳＲを取り外す作業が行われる。
この作業にあたって、本発明では巻取軸装置４における巻取軸４０を本体軸４１と切離軸４２とに分離自在とし、切離軸４２側は、例えば開閉枠３７２により扉状に開放され、設置位置から退去できるように構成されており、その作業が行い易いのである。
以下、これらの作業について説明する。
【００５４】
（ｖｉ−Ａ）解し作業
まず巻取軸４０に対して、被覆資材Ｓが固定されているのは、本体軸４１における係止ピン本体４１２に対し、被覆資材Ｓが係止していることによる。
そして、ここに巻き付けられている被覆資材Ｓは、巻取動作時に生じるテンションによりある程度強固に係止ピン本体４１２が突き刺さった状態となっている。
このため、まず開閉フランジ４３Ｂを手掛りに手作業により回転させて、巻取軸４０を巻取方向と逆の方向回転をさせる。これにより前記巻取ロールＳＲとなった被覆資材Ｓは、その中心部において本体軸４１における係止ピン本体４１２との強固な喰い込みが解除される。
【００５５】
（ｖｉ―Ｂ）巻取軸４０の切り離し
このような作業に続いて、巻取軸４０を構成している切離軸４２を本体軸４１から切り離す操作を行う。この操作は、図５（ｂ）に示すように切離軸受ユニット４７におけるスライドブラケット４７１を外側にずらす操作であって、具体的にはスライドブラケット４７１におけるクランプボルト４７５を操作して、これにより基板部４７２の開閉枠３７２に対する固定状態を解除する。この操作は、クランプボルト４７５がその上端に操作用のグリップ４７５ａを具えていることから、工具を要することなく行い得る。
もちろんこのようなクランプボルト４７５によるスライドブラケット４７１の固定ないしは解除の構造ではなく、その目的が達成できる範囲でのクイックレリーズ、クイックスナップと称されるロック部材でその操作を行ってももとより差し支えない。
【００５６】
このようなクランプボルト４７５による固定を解除されると、スライドブラケット４７１が開閉枠３７２の上面との間で自由に移動し得ようになり、引き出し長孔４７３が設けられていることによって、スライドブラケット４７１は、開閉枠３７２に対し、その外側に移動させることができる。これにより、前記切離軸受ユニット４７全体が移動し、切離軸受４７０は、切離軸４２を伴った状態で外側に移動する。その結果、切離軸４２は、本体軸４１に対して、内嵌め状態に取り付けられた状態から抜け出て、本体軸４１と切離軸４２とが切り離された状態となる。
なお再度巻取軸４０における本体軸４１と切離軸４２とを設定するにあたっては、切離軸４２に設けられた回り止め突起４２ａと本体軸４１における回り止め切欠４１６とを合せて組み付けることとなる。
【００５７】
このように本体軸４１と切離軸４２とが切り離されると、巻取軸４０における本体軸４１は、切離軸４２側でその支承がなくなり自由状態となり、この自由端部がその位置で垂れ下がる状態となる。この状態を許容するために、本体軸受４４０は、水平回動基板４４１と上下揺動ブラケット４４２との作用で三次元方向に偏向自在となっており、そのような本体軸４１の自由端側の垂れ下がりを許容することができる。
このような状態で本体軸４１の自由端側から被覆資材Ｓを抜き取るが、実際には切離軸４２がその位置に存在したのでは、それらを避けて充分本体軸４１の自由端を上方に向けた状態で抜き取らなくてはならず、作業性は必ずしも良好とはなっていない。このため本発明にあっては、このような切離軸４２の切り離しが完了した後、それらを全体としてその位置から更に退去させることが好ましく、これによって本体軸４１に残った巻取ロールＳＲの抜き取りを容易にしているものである。
即ち、図４（ｄ）に示すように案内枠３６のロックピン３７５を解除操作して開閉枠３７２がヒンジ支柱３７３に対して扉状に開放されるような状態とする。このように側方に開放させるような状態とすれば、開閉枠３７２に支持された切離軸受ユニット４７は全体としてその位置から退去する。その結果、切離軸受ユニット４７および開閉枠３７２が設けられた部位が充分に大きく開放され、本体軸４１をほぼその位置のまま、本体軸４１から巻取ロールＳＲを引き抜くことができる。
因みに開閉枠３７２の開放状態は、このような開き扉状ではなくともよい。実質的に定常位置から退去できればよいものであって、下端縁をヒンジとして上縁部を手前側に倒し込む形態や、引き戸状態にスライドして退去する形態等であってもよい。なお係止ピンユニット４１０おける係止ピン本体４１２は、その回動方向が巻取ロールＳＲの抜き取り方向には倒伏し得るように構成されているから、この巻取ロールＳＲの引き抜きにはあたっては、図４（ｄ）に一部拡大して示すように係止ピンが巻取ロールＳＲの芯部に押さえ込まれる状態で倒伏し、その抜き取りが容易に行い得る。
【００５８】
（ｖｉｉ）次工程への準備
このような作業のち、まず巻取軸装置４にあっては、開閉枠３７２を再度閉鎖することにより、切離軸４２を元の閉鎖位置に戻した後、切離軸４２を本体軸４１の自由端側に嵌め込むようにする。その操作は、前記切離軸受ユニット４７のスライドブラケット４７１ごと、本体軸４１に向うように押し込むような操作をし、クランプボルト４７５によりその押し込み状態を維持する。開閉枠３７２全体としても、ロックピン３７５の操作により、開閉状態を維持する。
一方、被覆資材ガイド装置５にあっては、回動ブラケット５４を操作して、巻取作業状態から再度これを戻すようにして、中間ガイド体５２と巻取ガイド体５３との位置設定が反転したような巻取準備状態とする。
【００５９】
［他の実施の形態］
本発明は以上述べた実施の形態を一つの基本的な技術思想とするものであるが、更に次のような改変が考えられる。
本発明は、主として茶園を対象として説明したが、先にも触れたように他の圃園において用いることももとより差し支えない。例えばマルチングシートの取り扱いにも応用し得るものである。
【符号の説明】
【００６０】
Ｓ        被覆資材
ＳＲ      巻取ロール
Ｔ        茶畝（被覆対象）
１        圃園管理装置
２        走行機体
３        被覆資材処理ユニット
４        巻取軸装置
５        資材ガイド装置
３６      案内枠
３７      ロール支持枠
３７０    駆動側ロール支持ポスト
３７１    取出側ロール支持枠
３７２    開閉枠
３８      ガイド支持ポスト
４０      巻取軸
４１      本体軸
４２      切離軸
４３      フランジ
４３Ａ    固定フランジ
４３Ｂ    開閉フランジ
４４      本体軸受ユニット
４５      駆動モータ
４７      切離軸受ユニット
５１      受入ガイド体
５３      巻取ガイド体
５４      回動ブラケット
【図１】
0006501056.tif 000002
【図２】
0006501056.tif 000003
【図３】
0006501056.tif 000004
【図４】
0006501056.tif 000005
【図５】
0006501056.tif 000006
【図６】
0006501056.tif 000007
【図７】
0006501056.tif 000008
【図８】
0006501056.tif 000009
【図９】
0006501056.tif 000010
【図１０】
0006501056.tif 000011